(57)【要約】      （修正有）【課題】異なる原稿画像を視認性が維持して単一の印刷用画像にレイアウトする。【解決手段】画像レイアウト情報および画像データを記憶する記憶装置３と、この記憶装置３に記憶された情報に基づいて異なる複数の原稿画像を単一の印刷用紙面上に配置出力可能な印刷用画像データを生成するレイアウト画像生成部２３を備えたデータ処理装置２１とを有する画像処理システムにあって、前記レイアウト画像生成部２３が、各原稿画像内に含まれる各文字の大きさが予め設定された最小文字サイズより小さく成らないように前記各原稿画像の縮小処理を行う画像縮小処理機能２３Ａと、印刷用画像データ上に想定される余白が最小となるように前記単一の印刷用紙面上に配置する各原稿画像の数及び当該各原稿画像の縮小率を決定すると共にこれに基づいてレイアウト処理を実行し前記印刷用画像データを生成するレイアウト決定実行処理機能２３Ｂとを備えていること。【選択図】図１
2013153290.tif 000002
【特許請求の範囲】
【請求項１】
画像レイアウト情報および複数の画像データを記憶する記憶装置と、この記憶装置に記憶された情報に基づいて異なる複数の原稿画像を単一の印刷用紙面上に配置出力可能な印刷用画像データを生成するレイアウト画像生成部を有するデータ処理装置とを備え、
前記レイアウト画像生成部が、
前記各原稿画像内に含まれる各文字の大きさが予め設定された最小文字サイズより小さく成らないように前記各原稿画像の縮小処理を行う画像縮小処理機能と、前記印刷用画像データ上に想定される余白が最小となるように前記単一の印刷用紙面上に配置する各原稿画像の数及び当該各原稿画像の縮小率を決定すると共にこれに基づいてレイアウト処理を実行し前記印刷用画像データを生成するレイアウト決定実行処理機能とを備えていることを特徴とした画像処理システム。
【請求項２】
請求項１に記載の画像処理システムにおいて、
前記データ処理装置は、前記レイアウト画像生成部にて生成処理の対象となる画像データおよび画像レイアウト情報が予め装備された入力装置を介して外部から入力された場合にこれを前記記憶装置に個別に記憶処理する画像データ保存部及び画像レイアウト情報指定部を備えていることを特徴とした画像処理システム。
【請求項３】
請求項１に記載の画像処理システムにおいて、
前記データ処理装置は、前記複数の原稿画像を単一の印刷用紙面上に配置出力可能な印刷用画像データの生成指令が予め装備された入力装置を介して外部入力された場合に機能し、前記レイアウト画像生成部で動作時に必要とする画像縮小率および画像縮小に伴う最小文字サイズを含む画像レイアウトの条件の設定入力を、前記入力装置を介して外部に要請する画像レイアウト情報指定部を備えていることを特徴とした画像処理システム。
【請求項４】
請求項３に記載の画像処理システムにおいて、
前記画像レイアウト情報指定部は、前記複数の原稿画像を単一の印刷用紙面上に配置出力可能な印刷用画像データの生成指令が予め装備された入力装置を介して外部入力された場合に稼働し、前記レイアウト画像生成部に対してその動作開始指令を送り込むと共に、当該レイアウト画像生成部で動作時に必要とする前記画像レイアウトの条件が前記入力装置を介して設定入力された場合に、これを前記記憶装置に格納処理するレイアウト情報格納処理機能を備えていることを特徴とした画像処理システム。
【請求項５】
請求項１乃至４の何れか一つに記載の画像処理システムにおいて、
前記複数の原稿画像の画像レイアウトは、前記各画像に初期の段階で設定されたページ順に従って順次配置されることを特徴とした画像処理システム。
【請求項６】
画像レイアウト情報および複数の画像データを記憶する記憶装置と、この記憶装置に記憶された情報に基づいて異なる複数の原稿画像を単一の印刷用紙面上に配置出力可能な印刷用画像データを生成するレイアウト画像生成部を備えたデータ処理装置とを有する画像処理システムにあって、
前記印刷用画像データの生成に際し、前記各原稿画像内に含まれる各文字の大きさが必要以上に小さく成らないように、前記レイアウト画像生成部が、外部指令に基づいて最小文字サイズを予め設定すると共に各原稿画像の縮小処理を行い、
次に、前記印刷用画像データ上に想定される余白が最小となるように前記単一の印刷用紙面上に配置する各原稿画像の数及び当該各原稿画像の縮小率を、前記レイアウト画像生成部が決定すると共にそのレイアウト処理を実行して前記単一の印刷用紙面上に配置出力可能な印刷用画像データを生成し、
前記印刷用画像データの生成動作に先立って、
当該印刷用画像データの生成および出力要請が外部から成された場合、前記レイアウト画像生成部で動作時に必要とする画像縮小率および画像縮小に伴う最小文字サイズを含む画像レイアウトの条件の設定入力を、前記データ処理装置に予め装備された画像レイアウト情報指定部が予め装備された入力装置を介して外部に要請するようにしたことを特徴とする画像処理方法。
【請求項７】
画像レイアウト情報および複数の画像データを記憶する記憶装置と、この記憶装置に記憶された情報に基づいて異なる複数の原稿画像を単一の印刷用紙面上に配置出力可能な印刷用画像データを生成するデータ処理装置とを有する画像処理システムにあって、
前記印刷用画像データの生成に際し、前記各原稿画像内に含まれる各文字の大きさが必要以上に小さく成らないように、外部指令に基づいて最小文字サイズを予め設定すると共に各原稿画像の縮小処理を行う画像縮小処理機能、
および前記印刷用画像データ上に想定される余白が最小となるように前記単一の印刷用紙面上に配置する各原稿画像の数及び当該各原稿画像の縮小率を決定すると共にこれに基づいてレイアウト処理を実行し前記単一の印刷用紙面上に配置出力可能な印刷用画像データを生成するレイアウト決定実行処理機能を設け、
前記印刷用画像データの生成動作に先立って、当該印刷用画像データの生成および出力要請が外部から成された場合に、前記レイアウト画像生成部で動作時に必要とする画像縮小率および画像縮小に伴う最小文字サイズを含む画像レイアウトの条件の設定入力を、予め装備された入力装置を介して外部に要請するレイアウト条件設定入力要請処理機能を設け、
これらの各処理機能を前記データ処理装置が備えているコンピュータに実現させるようにしたことを特徴とする画像処理プログラム。
【発明の詳細な説明】
【技術分野】
【０００１】
本発明は、複数の画像データを一区画内に配置して単一の画像データを生成する画像レイアウト生成機能を備えた画像処理システムに関する。
【背景技術】
【０００２】
コピーやプリンタなどの機能を備えているネットワーク複合機等の画像処理装置は、コピーを行う際、印刷用紙の節約のためＮｉｎ１機能を用いて複数ページの原稿を１枚にまとめて印刷するという手法が一般に用いられている。
【０００３】
すなわち、ネットワーク複合機等の画像処理装置において複数ページ（Ｎページとする）の画像データを１枚に印刷するＮｉｎ１機能を使用する際には、ユーザがＮの値を指定し、複数（Ｎ）ページの画像データを１枚に印刷する。
【０００４】
この関連技術として、画像処理装置でＮｉｎ１機能を使用して画像データを印刷する際に、印刷された画像内に含まれる文字サイズがユーザにより指定されたサイズ以下にならないように、画像処理装置がＮの値を決定し、Ｎｉｎ１機能により印刷を行う方式が知られている（特許文献１）。
【０００５】
また、上記関連技術として、印刷属性情報として最小サイズ画像優先モード、結合・分割処理等の指示を行うことにより、頁配置を自由にレイアウトする装置が知られている（特許文献２）。
更に、関連技術として、１枚の用紙にレイアウト数1 〜８を指定して縮小印刷を行い、また、最小文字サイズ基準値を条件設定することにより、レイアウト数を決定するシステムが知られている（特許文献３）。
【先行技術文献】
【特許文献】
【０００６】
【特許文献１】特開２０１０−２０１９１９号公報
【特許文献２】特開２００５−２６９５３９号公報
【特許文献３】特開２００６−２５６１６２号公報
【発明の概要】
【発明が解決しようとする課題】
【０００７】
しかしながら、上記特許文献１に記載の関連技術では、ネットワーク複合機等の画像処理装置で、複数ページの画像データを１枚に印刷する場合には、ユーザ自身が印刷された文字や画像の大きさを予想し、Ｎの値を決定する必要があり、このため、例えば、小さな文字を含む原稿を１枚の紙面に印刷する場合、印刷画像における可読性が著しく低下してしまうといった不都合が生じていた。
【０００８】
また、特許文献２、３に記載の関連技術では、画像処理装置がユーザの指定した文字サイズに従い、決められたテーブルに含まれるフォーマットとして定義された値からＮの値を決めるため、各画像の印刷方向が異なっていたり、画像同士が入れ子状態に配置されていたりするような複雑な画像レイアウトの作成ができず、より多数の原稿画像を１枚の紙面上に印刷するための画像データを作成することができないという不都合があった。
【０００９】
［発明の目的］
本発明は、上記関連技術の有する不都合を改善し、複数の画像ページを単一の画像ページにレイアウトするに際し、各画像ページの視認性が高い単一の画像ページを生成し得る画像処理システム、画像処理方法、および画像処理プログラムを提供することを、その目的とする。
【課題を解決するための手段】
【００１０】
上記目的を達成するため、本発明に係る画像処理システムは、画像レイアウト情報および画像データを記憶する記憶装置と、この記憶装置に記憶された情報に基づいて異なる複数の原稿画像を単一の印刷用紙面上に配置出力可能な印刷用画像データを生成するレイアウト画像生成部を備えたデータ処理装置とを備え、
前記レイアウト画像生成部が、前記各原稿画像内に含まれる各文字の大きさが予め設定された最小文字サイズより小さく成らないように前記各原稿画像の縮小処理を行う画像縮小処理機能と、前記印刷用画像データ上に想定される余白が最小となるように前記単一の印刷用紙面上に配置する各原稿画像の数及び当該各原稿画像の縮小率を決定すると共にこれに基づいてレイアウト処理を実行し前記印刷用画像データを生成するレイアウト決定実行処理機能とを備えていることを特徴とする。
【００１１】
また、上記目的を達成するため、本発明に係る画像処理方法は、画像レイアウト情報および画像データを記憶する記憶装置と、この記憶装置に記憶された情報に基づいて異なる複数の原稿画像を単一の印刷用紙面上に配置出力可能な印刷用画像データを生成するレイアウト画像生成部を備えたデータ処理装置とを有する画像処理システムにあって、
前記印刷用画像データの生成に際し、前記各原稿画像内に含まれる各文字の大きさが必要以上に小さく成らないように、前記レイアウト画像生成部が、外部指令に基づいて最小文字サイズを予め設定すると共に各原稿画像の縮小処理を行い（画像縮小処理工程）、
次に、前記印刷用画像データ上に想定される余白が最小となるように前記単一の印刷用紙面上に配置する各原稿画像の数及び当該各原稿画像の縮小率を前記レイアウト画像生成部が決定すると共に、そのレイアウト処理を実行して前記単一の印刷用紙面上に配置出力可能な印刷用画像データを生成する（レイアウト決定実行処理工程）。
【００１２】
更に、前記印刷用画像データの生成動作に先立って、
当該印刷用画像データの生成および出力要請が外部から成された場合、前記レイアウト画像生成部で動作時に必要とする画像縮小率および画像縮小に伴う最小文字サイズを含む画像レイアウトの条件の設定入力を、前記データ処理装置に予め装備された画像レイアウト情報指定部が予め装備された入力装置を介して外部に要請するようにしたこと（レイアウト条件設定入力要請処理工程を設けたこと）を特徴とする。
【００１３】
また、上記目的を達成するため、本発明に係る画像処理プログラムは、
画像レイアウト情報および画像データを記憶する記憶装置と、この記憶装置に記憶された情報に基づいて異なる複数の原稿画像を単一の印刷用紙面上に配置出力可能な印刷用画像データを生成するデータ処理装置とを有する画像処理システムにあって、
前記印刷用画像データの生成に際し、前記各原稿画像内に含まれる各文字の大きさが必要以上に小さく成らないように、外部指令に基づいて最小文字サイズを予め設定すると共に各原稿画像の縮小処理を行う画像縮小処理機能、
および前記印刷用画像データ上に想定される余白が最小となるように前記単一の印刷用紙面上に配置する各原稿画像の数及び当該各原稿画像の縮小率を決定すると共にこれに基づいてレイアウト処理を実行し前記単一の印刷用紙面上に配置出力可能な印刷用画像データを生成するレイアウト決定実行処理機能を設け、
前記印刷用画像データの生成動作に先立って、当該印刷用画像データの生成および出力要請が外部から成された場合に、前記レイアウト画像生成部で動作時に必要とする画像縮小率および画像縮小に伴う最小文字サイズを含む画像レイアウトの条件の設定入力を、予め装備された入力装置を介して外部に要請するレイアウト条件設定入力要請処理機能を設け、
これらの各処理機能を前記データ処理装置が備えているコンピュータに実現させるようにしたことを特徴とする。
【発明の効果】
【００１４】
本発明は、上述したように構成したので、これによると、複数の画像ページを単一の画像ページにレイアウトするに際し、データ処理装置のレイアウト画像生成部が有効に機能して、各画像ページの視認性が高く設定された単一の画像ページの生成を可能とした画像処理システム、画像処理方法、および画像処理プログラムを提供することができる。
【図面の簡単な説明】
【００１５】
【図１】本発明に係る画像処理システムの一実施形態を示す概略ブロック図である。
【図２】図１に開示した画像処理システムにおける全体的な動作内容を示すフローチャートである。
【図３】図１に開示した画像処理システムにおける画像レイアウト情報の一例を示す説明図である。
【図４】図１に開示した画像処理システムにより生成された画像レイアウトの一例を示す説明図である。
【図５】図１に開示した画像処理システムにより生成された画像レイアウトの一例を示す説明図である。
【図６】本発明に係る画像処理システムの他の実施形態を示す概略ブロック図である。
【図７】図６に開示した画像処理システムにおける全体的な動作内容を示すフローチャートである。
【発明を実施するための形態】
【００１６】
［実施形態１］
最初に本実施形態の基本的な内容を説明し、その後に具体的な内容を詳述する。
【００１７】
まず、図１において、画像処理システム１００は、ユーザからの入力操作を受け付けるタッチパネルなどの入力装置１と、印刷対象の複数画像のレイアウトを自動的に決定するデータ処理装置２と、レイアウト対象となる画像データおよび画像レイアウトに係る情報を記憶する記憶装置３と、決定されたレイアウト情報に基づき画像印刷を行う出力装置４を備えている。
【００１８】
ここで、上記入力装置１はユーザによる画像レイアウト条件を受け付ける機能を備えている。これにより、ユーザは、入力装置１を介してデータ処理装置２に対して自動生成する画像レイアウトの条件を指定することができるようになっている。
【００１９】
又、データ処理装置２は、入力装置１を介して入力される画像データを記憶装置３の像データ記憶部３２に記憶処理する画像情報保存部２１と、入力装置１を介して入力される画像レイアウト情報を記憶装置３の画像レイアウト情報記憶部３１に記憶処理する画像レイアウト情報指定部２２と、記憶装置３に記憶された情報に基づいて異なる複数の原稿画像を単一の印刷用紙面上に配置出力可能な印刷用画像データを自動的に生成し同時にそのレイアウトを自動的に決定するレイアウト画像生成部２３と、生成されたレイアウト画像を出力装置４を介して外部へ出力する画像データ出力部２４とを備えている。
【００２０】
この内、前述したレイアウト画像生成部２３は、前記各原稿画像内に含まれる各文字の大きさが予め設定された最小文字サイズより小さく成らないように前記各原稿画像の縮小処理を行う画像縮小処理機能２３Ａと、前記印刷用画像データ上に想定される余白が最小となるように前記単一の印刷用紙面上に配置する各原稿画像の数及び当該各原稿画像の縮小率を決定すると共にこれに基づいてレイアウト処理を実行し単一の画像ページを生成するレイアウト決定実行処理機能２３Ｂとを備えている。
【００２１】
又、前述した画像レイアウト情報指定部２２は、前述したデータ処理装置２に対して、前記複数の原稿画像を単一の印刷用紙面上に配置出力可能な印刷用画像データの生成指令が前述した入力装置１を介して外部入力された場合に機能し、上記レイアウト画像生成部２３で動作時に必要とする画像縮小率および画像縮小に伴う最小文字サイズを含む画像レイアウトの条件の設定入力を、前記入力装置１を介して外部のオペレータに要請する機能を備えている。
【００２２】
この外部のオペレータに対する要請画像レイアウト情報指定部２２の上記要請は、具体的には、入力装置１が備えている表示画面又は音声出力部（図示せず）を介して実行される。
【００２３】
また、上記画像レイアウト情報指定部２２は、前述した複数の原稿画像を単一の印刷用紙面上に配置出力可能な印刷用画像データの生成指令が入力装置１を介して外部入力された場合には、そのタイミングをとらえて、前記レイアウト画像生成部２３に対してその動作開始指令を発信すると共に、当該レイアウト画像生成部２３で動作時に必要とする前記画像レイアウトの条件が前記入力装置を介して設定入力された場合に、前述したようにこれを記憶装置３に格納処理するレイアウト情報格納処理機能を備えている。
ここで、上記複数の原稿画像の画像レイアウトは、前記各画像に初期の段階で設定されたページ順に従って順次配置されるようになっている。
【００２４】
このため、本実施形態にあっては、複数の画像ページを単一の画像ページにレイアウトするに際し、データ処理装置２のレイアウト画像生成部２３が有効に機能して、各画像ページの視認性が高く設定された単一の画像ページの生成が可能となる。
【００２５】
以下、これを更に詳述する。
前述したように、記憶装置３は、入力装置１から送り込まれる画像レイアウトの条件及び自動画像レイアウトの設定可否情報を記憶する画像レイアウト情報記憶部３１と、印刷対象となるレイアウト用の画像データを記憶する画像データ記憶部３２を備えている。
【００２６】
この内、画像レイアウト情報記憶部３１は、入力装置１を介してユーザから入力された最小文字や画像サイズ等の画像レイアウトを示すパラメータ情報（レイアウトパラメータ）を記憶する。
【００２７】
前述した画像データ保存部２１は、画像処理装置のタッチパネル等の入力装置１に入力された印刷時の自動画像レイアウトの設定可否情報および及び最小文字または画像サイズ等の情報を含む画像レイアウトのパラメータ情報を画像レイアウト情報記憶部３１に保存する。
【００２８】
また、画像レイアウト情報指定部２２は、ユーザによる画像処理装置のタッチパネル等の入力装置１を介してユーザによる自動画像レイアウトを実施するか否かを示す自動画像レイアウト設定情報を取得すると共に、自動画像レイアウトの実施が指定された場合にレイアウト画像生成部２３に対して動作開始指示を行う。
【００２９】
ここで、自動画像レイアウトを実施する場合、画像レイアウト情報指定部２２は、入力装置１を介して、例えば最小文字サイズなどを含む画像レイアウトの条件の設定入力の要請を外部表示し、当該画像レイアウトの諸条件の設定入力をユーザに要求するものとする。これに応じて当該画像レイアウトの諸条件が入力装置１を介してユーザから入力された場合、前述したように、画像データ保存部２１および画像レイアウト情報指定部２２はそれぞれ画像データおよび画像レイアウト情報を画像データ記憶部３２および画像レイアウト情報記憶部３１にそれぞれ格納処理する。
【００３０】
レイアウト画像生成部２３は、前述した画像縮小処理機能２３Ａ及びレイアウト決定実行処理機能２３Ｂが有効に機能して、画像レイアウト情報記憶部３１の情報及び画像データ記憶部３２から、画像レイアウト情報記憶部３１で指定されている最小文字サイズ及び画像サイズの条件を満たす範囲で拡大又は縮小を行い、適切な画像レイアウト情報を含む画像データを生成し、これを画像データ記憶部３２へ保存する。
これにより、レイアウト画像生成部２３は、ユーザに指定された画像レイアウトパラメータに基づき、画像レイアウトを自動生成することができる。
【００３１】
画像データ出力部２４は、レイアウト画像生成部２３により生成された画像データ記憶部３２の印刷用画像データの印刷処理を行う。
【００３２】
尚、入力装置１は、ユーザがスキャナなどの画像読取機能を備えた画像処理装置のタッチパネル等の操作を受け、画像処理装置に対して原稿を読み取り指示を行うものとする。そして、上記画像データ保存部２１は、ユーザから入力装置１を介して読み取り指令が入力された場合に、スキャン画像を画像データ記憶部３２へ保存する。
【００３３】
レイアウト画像生成部２３は、上述したように、画像レイアウト情報記憶部３１に格納された画像レイアウト情報（図３参照）に基づき画像データ記憶部３２内に記憶されたレイアウト対象の画像データ（原稿画像）を編集すると共に、画像レイアウトを算出する（レイアウト決定処理機能）。
【００３４】
続いて、レイアウト画像生成部２３は、上述したように、算出した画像レイアウト情報を反映した画像データ（レイアウト画像データ）を生成する（レイアウト決定実行処理機能）と共に、このレイアウト画像データを画像データ記憶部３２へ保存する。図４乃至図５はそのレイアウト画像データの一例を示す。
【００３５】
画像データ出力部２４は、算出された画像レイアウト情報を反映した画像データを取得し、印刷を行う。
尚、ユーザにより自動画像レイアウトを実施しないことが指示されている場合、画像データ出力部２４は、読み取られた画像データをそのまま印刷するものとする。
【００３６】
このとき、データ処理装置２における自動画像レイアウト（レイアウト自動決定）の設定がユーザにより「有効」に設定され、画像処理装置に予め備えられたスキャナ等の原稿画像読み取り装置を用いて複数の原稿画像が読み取られるものとする。また、読み取られた原稿画像は、画像データ保存部２１により画像データ記憶部３２に保存される。
【００３７】
また、ユーザは、画像レイアウトの設定として最小文字サイズ、最小写真サイズ、画像の向きそれぞれの考慮有無を、入力装置１を用いてデータ処理装置２に対して指定することが可能であるものとする。
【００３８】
ここで指定された最小文字サイズ、最小写真サイズ、画像の向きそれぞれの考慮有無を示す情報は、画像レイアウト情報指定部２２により画像レイアウト情報として画像レイアウト情報記憶部３１に格納される。
【００３９】
画像レイアウト情報指定部２２は、前述したようにユーザにより指定された画像レイアウト情報を画像レイアウト情報記憶部３１へ保存する。
【００４０】
ここで、図３に示す画像レイアウト情報記憶部３１に保存するデータ（画像レイアウト情報）では、最小文字サイズ、最小写真サイズ、画像の向きを指定するものとしているが、例えば、画像レイアウトの余白部分のサイズの指定など他のパラメータを指定する設定であってもよい。
【００４１】
又、レイアウト画像生成部２３は、画像レイアウト情報記憶部３１に記憶された画像レイアウト情報に基づき、前述したように画像データ記憶部３２に記憶された複数画像データ（Ｎ枚）の画像レイアウトを算出する（図４乃至図５参照）。また、このレイアウト画像生成部２３は、算出した画像レイアウトを反映した印刷用画像データを生成し、画像データ記憶部３２に保存する。
【００４２】
画像データ出力部２４は、画像データ記憶部３２へ保存された印刷用画像データを参照し、印刷処理に必要なデータを抽出して印刷装置等の出力装置４に送信する。これにより、レイアウト画像生成部２３により算出された画像レイアウトが反映された画像が印刷される。
【００４３】
ここで、レイアウト画像生成部２３が算出した画像レイアウトの具体例（図４および図５）にあって、図４では、画像の向きを考慮しない設定における画像レイアウトの算出例が開示されており、このとき、印刷用画像データ上における余白が最小となるように、原稿画像が配置されている。
【００４４】
即ち、原稿画像の向きや異なる原稿画像間の距離（エッジ間距離）を一定値として配置することにより、より多くの原稿画像を単一の印刷画像データ上に配置することが可能となる。
【００４５】
尚、このレイアウト画像生成部（レイアウト決定部に対応）２３は、ユーザから指定された画像レイアウト情報における最小文字サイズ、最小画像サイズよりも印刷画像が小さくならないように、各原稿画像の縮小処理の結果を監視しているものとする。
【００４６】
また、レイアウト画像生成部２３は、印刷用画像データ上における余白が最小となるように、印刷用紙面上に配置する原稿画像の数、および各原稿画像における縮小処理の縮小率を決定する
【００４７】
そして、データ処理装置２のレイアウト画像生成部２３では、決定した画像データの各ページ最小サイズに従い、必要であれば画像の回転または拡大／縮小を行い、より多くの原稿画像を印刷用画像データ上に配置する。
尚、本実施形態１では、画像の縮小は文字サイズが最小サイズまで縮小するのではなく、印刷画像における余白を最小限にする範囲内で縮小するものとする。
【００４８】
また、図５は、画像の向きを予め指定した状態でレイアウト決定を行う場合の設定（レイアウト条件）における、生成された画像レイアウト例を示す。
ここで、図５のレイアウト例における各画像データとしては、それぞれ図４の場合と同じ画像データが入力されているものとする。
尚、画像レイアウトの算出を行う手法としては、読み取り画像の向きを予め指定して画像レイアウトを決定する点が図４の画像レイアウトと異なる。
【００４９】
以上のように、本実施形態１では、複数（Ｎ）の原稿画像を１枚の紙面上に印刷するためのレイアウトを決定し印刷用画像データを生成する際に、印刷用画像データに含まれる画像の文字や写真がユーザに指定された一定の最小サイズ以下に縮小されることなくレイアウトすることができ、これにより、可読性の高い画像を生成することが可能となる。
【００５０】
更には、印刷用画像データ内における画像方向を指定しない設定である場合、上記画像処理システム１００は、Ｎｉｎ１機能など装置で予め定められた画像レイアウト方法にとらわれない、原稿画像に応じた印刷用画像データの画像レイアウトを生成することができる。
【００５１】
これにより、本実施形態１では、コピー機、プリンタ等におけるＮｉｎ１機能を使用する際に、ユーザによりＮｉｎ１機能にＮの値を指示することなく、印刷対象の紙面に対応した最適な画像レイアウトを作成することが可能となる。
【００５２】
［実施形態１の動作説明］
次に、図２のフローチャートに基づいて、本実施形態１の全体的な動作を説明する。
【００５３】
まず、スキャナなどの画像読取機能を備えたデータ理装置２のタッチパネル等の入力装置１をユーザが操作し、画像処理システム１００に対して原稿を読み取り指示を行われて当該入力装置１を介して原稿データが入力されると（図２：ステップＳ２０１）、直ちに画像処理システム１００のデータ保存部２１が作動し記憶装置３の画像データ記憶部３２にスキャン画像が保存される。
【００５４】
次に、入力装置１を介して、自動画像レイアウトを実施するか否かの指令情報（実施可否指令）がユーザの操作により外部入力される（図２：ステップＳ２０２）。
ここで、入力装置１を介して自動画像レイアウトを実施するとの指令（実施指令）が入力されると、直ちに画像レイアウト情報指定部２２が作動し、まず、入力装置１が備えているタッチパネル等の表示部を介してユーザに対し、画像レイアウトを実行するに必要な画像レイアウトの条件の設定入力の要請が成され、出力表示される。
【００５５】
具体的には、レイアウト画像生成部２３による印刷用画像データの生成動作に先立って、当該印刷用画像データの生成および出力要請（自動画像レイアウトの実施指令）が外部から入力装置１を介して操作入力された場合に、前記レイアウト画像生成部２３で動作時に必要とする画像縮小率および画像縮小に伴う最小文字サイズを含む画像レイアウトの条件の設定入力を、画像レイアウト情報指定部２２が当該入力装置１表示部を介して外部のユーザに要請する（図２：ステップＳ２０３／レイアウト条件設定入力要請工程）。
【００５６】
次に、ユーザから入力装置１を介して画像レイアウト情報が入力されると、直ちに画像処理システム１００の画像データ保存部２１および画像レイアウト情報指定部２２が作動し、設定入力された画像データおよび画像レイアウト情報を記憶装置３の画像データ記憶部３２および画像レイアウト情報記憶部３１へそれぞれ格納し保存する。
【００５７】
この場合、ユーザから設定入力される画像レイアウトの条件設定として、例えば、最小文字サイズ、最小写真サイズ、画像の向きの考慮有無が指定される。
ここで、画像レイアウト情報記憶部３１に保存された条件情報（テーブル情報）の一例を図３に示す。又、ユーザから設定入力される画像レイアウトの条件設定として、最小文字サイズ、最小写真サイズ、画像の向きを指定するものとしているが、例えば画像レイアウトの余白部分のサイズの指定など他のパラメータが指定されてもよい。
【００５８】
続いて、画像処理システム１００のレイアウト画像生成部２３が作動し、画像レイアウト情報記憶部３１の画像レイアウト情報に基づいて上述した画像データ記憶部３２の画像データを編集し、画像レイアウトを算出する。この場合の画像レイアウトの例を図４，図５に示す。
【００５９】
ここで、このレイアウト画像生成部２３による画像レイアウトの算出（即ち、印刷用画像データの生成）に際しては、各原稿画像内に含まれる各文字の大きさが必要以上に小さく成らないように外部指令に基づいて最小文字サイズを予め設定すると共に各原稿画像（原稿データ毎）を縮小する画像縮小処理工程、および前記印刷用画像データ上に想定される余白が最小となるように前記単一の印刷用紙面上に配置する各原稿画像の数及び当該各原稿画像の縮小率を決定すると共にそのレイアウト処理を実行して前記単一の印刷用紙面上に配置出力可能な印刷用画像データを生成するレイアウト決定実行処理工程とが、それぞれ前記レイアウト画像生成部２３により実行される（図２：ステップＳ２０４）。
【００６０】
具体的には、画像縮小処理工程はレイアウト画像生成部２３の画像縮小処理機能２３Ａにより実行され、レイアウト決定実行処理工程はレイアウト画像生成部２３のレイアウト決定実行処理機能２３Ｂにより実行される。
【００６１】
これにより、異なる複数の原稿画像を単一の印刷用紙面上に配置出力可能な印刷用画像データが生成され、画像データ記憶部３２に記憶される。
【００６２】
続いて、画像処理装置は画像データ出力部２４によりステップＳ２０４にて算出した画像レイアウト情報を反映した画像データを印刷する（図２：ステップＳ２０５）。
【００６３】
ここで、図４、図５に示す具体例により、画像レイアウトの算出動作を説明する。
図４は、画像の向きを考慮しない設定における画像レイアウトの算出例を示している。
【００６４】
レイアウト画像生成部２３は、前述したように、ユーザから指定された画像レイアウト情報記憶部３１の画像レイアウト情報の最小文字サイズ、最小写真サイズよりも印刷画像が小さくならない程度に画像の拡大／縮小を行い、印刷用画像データ上に配置される各画像データの（各ページ最小）サイズを決定する。
【００６５】
次に、決定した画像データの各ページ最小サイズに従い、必要であれば画像の回転または拡大／縮小を行い、印刷画像１枚に可能な限り画像データを配置する。
尚、図４のレイアウト例では画像の縮小は文字サイズが最小サイズまで縮小するのではなく、印刷画像の余白を最小限にする範囲内で縮小するものとする。
【００６６】
そして、前述したように、レイアウト画像生成部２３は算出した画像レイアウトを印刷用データとして画像データ記憶部３２に保存する。
【００６７】
又、図５では、画像の向きを考慮した（画像の向きが予め指定された）設定における画像レイアウトの算出例を示す。この図５のレイアウト例の画像データとしては、図４と同じものを想定している。
【００６８】
この図５では、画像レイアウトの算出手法としては、読み取り画像の向きを考慮してレイアウトを決定する点が図４の画像レイアウトの算出例と異なるものとする。
【００６９】
これにより、印刷した画像の文字や写真がユーザに指定された最小サイズ以下に縮小されることなく、可読性の高い画像の印刷を行うことができる。
【００７０】
以上のように、本実施形態１では、文字や写真の最小サイズを指定できるため予想以上に小さい文字や写真が印刷されることがなくなるため、可読性の高い印刷画像（印刷物）を出力することが可能となる。
【００７１】
また、これにより、また、印刷に利用される印刷用紙の使用量を有効に軽減することができる。すなわち、本実施形態では、原稿ページ単位で原稿の文字や写真のサイズに合わせて自動的に最適な画像レイアウトを算出することが可能であり、このため、より少ない印刷用紙に画像出力を行うことが可能となるため、印刷用紙の使用量を軽減することができる。
【００７２】
ここで、上述した動作説明中の各信号処理工程については、その実行内容をプログラム化し、コンピュータに実行させるように構成してもよい。後述する実施形態２の場合も同様である。
また、この場合の本プログラムは、非一時的な記憶媒体、例えば、ＤＶＤ、ＣＤ、フラッシュメモリなどに記録されてもよい。その場合、本プログラムは、記録媒体からコンピュータによって読み出され、実行される。
【００７３】
［実施形態２］
次に、本発明の他の実施形態である実施形態２を、図６に基づいて説明する。
【００７４】
図６を参照すると、本実施形態２は、図１に開示された実施形態１における入力装置１パーソナルコンピュータ等から成る情報処理端末１０に含まれる点と、図１に開示された実施形態１における画像レイアウト情報指定部２１とレイアウト画像生成部２３が前記情報処理端末１０に含まれる点と、図１に開示された実施形態１におけるデータ処理装置の構成に加えて画像データ受信部２２１を備えた点が異なる。
【００７５】
即ち、この図６に示す実施形態２の画像処理システム２００は、ユーザからの入力操作を受け付けるタッチパネルなどの入力装置１、および印刷対象の複数画像のレイアウトを自動的に決定するデータ処理装置５を備えた情報処理端末１０と、この情報処理端末１０から送り込まれた印刷用画像データの印刷を行う出力装置２０４を有する画像処理装置２０１を備えて構成されている。
【００７６】
この内、画像処理装置２０１は、他の異なる情報処理端末１０などの外部装置で生成された画像レイアウトを適用した画像を印刷することができる。
【００７７】
又、情報処理端末１０のデータ処理装置５は、入力装置１から送り込まれた画像レイアウト情報を画像レイアウト情報記憶部６１に格納する画像レイアウト情報指定部５１と、ユーザにより入力された自動画像レイアウトの設定可否情報が有効を示す場合（設定可の場合）に画像レイアウトを決定する処理を行うレイアウト画像生成部５２と、レイアウト画像生成部５２で生成された印刷用の画像データを画像処理装置２０１に送信する画像データ送信部５３とを備えている。
【００７８】
更に、情報処理端末１０は、予め記憶された複数の画像データを記憶する画像データ記憶部６２と、画像レイアウト指定部５１から送り込まれた画像レイアウト情報を記憶保持する画像レイアウト情報記憶部６１とから成る記憶装置６を備えている。
これにより、情報処理端末１０は、画像レイアウトの算出処理で行い、生成した印刷用画像データを画像データ送信部５３を介して画像処理装置２０１に送信する。
【００７９】
また、画像処理装置２０１は、図６に示すように、情報処理端末１０から送り込まれた印刷用画像データを、出力装置２０４を利用して印刷出力するデータ処理装置２０２と、情報処理端末１０から送り込まれた印刷用画像データを記憶保持する記憶装置２０３を備えている。
【００８０】
ここで、本実施形態２におけるレイアウト画像生成部５２は、前述した実施形態１のレイアウト画像生成部２３に対応し、画像レイアウト情報に基づいて前述した実施形態１の場合と同様に、印刷画像データにおける画像レイアウト（例えば、図４、図５）を決定するものとする。
【００８１】
即ち、このレイアウト画像生成部５２は、前記各原稿画像内に含まれる各文字の大きさが予め設定された最小文字サイズより小さく成らないように前記各原稿画像の縮小処理を行う画像縮小処理機能５２Ａと、前記印刷用画像データ上に想定される余白が最小となるように前記単一の印刷用紙面上に配置する各原稿画像の数及び当該各原稿画像の縮小率を決定すると共にこれに基づいてレイアウト処理を実行し単一の画像ページを生成するレイアウト決定実行処理機能５２Ｂとを備えている。
【００８２】
これにより、前述した実施形態１の場合におけるレイアウト画像生成部２３と同等に機能し、印刷画像データにおける画像レイアウトの決定を成し得るようになっている。
その他の構成は、前述した実施形態１と同様となっている。
【００８３】
［実施形態２の動作説明］
次に、上記図６に開示した実施形態２の全体的な動作を、図７のフローチャートに基づいて説明する。
【００８４】
この実施形態２では、全体的には、ステップＳ７０１乃至Ｓ７０３で、前述した実施形態１の場合とほぼ同様のデータ処理工程（図２：ステップＳ２０２乃至Ｓ２０４）が、情報処理端末１０側で実行されて画像レイアウト情報が生成される。そして、この情報処理端末１０で生成された画像レイアウト情報は、ステップＳ７０４乃至Ｓ７０６の手順で示すように、プリンタ機能を備えた画像処理装置２０１側で受信され印刷出力されるようにした。
以下、これを説明する。
【００８５】
まず、ユーザが、情報処理端末１０のマウスやキーボード等の入力装置１を操作し、情報処理端末１０にインストールされている画像処理装置のプリンタドライバなどを用いて、画像処理装置２０１で印刷を行う際に自動画像レイアウトの機能を有効にするように指示を行う（イエス／図７：ステップＳ７０１）。具体的には、自動画像レイアウトの使用可の指令が、ユーザから情報処理端末１０に外部入力されたか否かを情報処理端末１０が判定し、入力された場合にイエスとし、画像処理装置２０１で印刷を行う際に自動画像レイアウトの機能を有効にする。
【００８６】
次に、情報処理端末１０側のデータ処理装置５は、画像レイアウト指定部５１を作動させて、前述した実施形態１の場合と同様に、画像レイアウトの条件（画像レイアウト情報）の設定入力を、入力装置１の表示部を介してユーザに対して要求する（図７：ステップＳ７０２）。
【００８７】
ここで、予めインストールされているプリンタドライバなどを介して最小文字サイズ、最小写真サイズ、画像の向きの考慮有無を示す画像レイアウト情報を、データ処理装置５に対して指定する。そして、ここでは、ユーザが情報処理端末１０の入力装置１を操作することにより、最小文字サイズ、最小写真サイズ、画像の向きの考慮有無を指定するものとする。
【００８８】
次いで、データ処理装置５の画像レイアウト情報指定部５１が、ユーザにより指定された画像レイアウト情報（図３）を画像レイアウト情報記憶部６１へ保存する。
続いて、前述した実施形態１に場合と同様にレイアウト画像生成部５２の画像縮小処理機能５２Ａとレイアウト決定実行処理機能５２Ｂとが有効に機能し、画像レイアウト情報記憶部６１の画像レイアウト情報に基づいて情報処理端末１０の記憶装置６に格納されている印刷対象となる画像データを用いて、前述した実施形態１の場合と同様に画像レイアウト情報を算出し、この算出した画像レイアウト情報を反映した画像データを画像データ記憶部６２へ保存する（図７：ステップＳ７０３）。
【００８９】
この場合、レイアウト画像生成部５２では、先ず、画像縮小処理機能５２Ａが稼働して、前記各原稿画像内に含まれる各文字の大きさが予め設定された最小文字サイズより小さく成らないように前記各原稿画像の縮小処理を行う。更に、前述したレイアウト決定実行処理機能５２Ｂは、前記印刷用画像データ上に想定される余白が最小となるように前記単一の印刷用紙面上に配置する各原稿画像の数及び当該各原稿画像の縮小率を決定すると共にこれに基づいてレイアウト処理を実行し単一の画像ページを生成する。
【００９０】
次に、画像レイアウト情報に基づき算出した印刷用画像データを、画像データ送信部５３が、画像処理装置２０１に送信し（図７：ステップＳ７０４）、画像処理装置２０１の画像データ受信部２２１が印刷用画像データを受信し、画像処理装置２０３の画像データ記憶部２３１へ保存する（図７：ステップＳ７０５）。
【００９１】
そして、画像データ出力部２２２が、上記保存した印刷用画像データを参照し、画像処理装置２０１の印刷装置等の出力装置２０４で印刷する（図７：ステップＳ７０６）。
その他の各構成部分の動作は、前述した実施形態１の場合と同様になっている。
【００９２】
このように、本実施形態２では、複雑な画像レイアウトの算出処理をパーソナルコンピュータなどの情報処理端末１０が実施する。このため、迅速且つ効率よく画像データの出力を行うことが可能となり、画像編集を含めた印刷時間を短縮することが可能となる。
【００９３】
尚、本実施形態２では、情報処理端末にインストールされているプリンタドライバなどを介して画像処理装置に印刷指示することを指定するものとしているが、例えば、コマンドラインから画像データの印刷指示など他の手段により印刷指示を行ってもよい。また、本実施形態では、パーソナルコンピュータの情報処理端末における例を記載しているが、例えば携帯電話のような他の情報処理端末などに適用してもよい。
【００９４】
以上のように、上述した各実施形態１、２では、複数（Ｎ）の原稿画像を1 枚の紙面上に印刷するためのレイアウトを決定し印刷用画像データを生成する際に、印刷用画像データに含まれる画像の文字や写真がユーザに指定された一定の最小サイズ以下に縮小されることなくレイアウトすることができ、これにより、可読性の高い画像を生成することが可能となる。
【００９５】
更に、印刷用画像データ内における画像方向を指定しない設定である場合（ノー／図２：ステップＳ２０２）、上記画像処理システム１００は、Ｎｉｎ１機能など装置で予め定められた画像レイアウト方法にとらわれない、原稿画像に応じた印刷用画像データの画像レイアウトを生成することができる。図６の実施形態２の場合（ノー／図７：ステップＳ７０１）も同様である。
【００９６】
これにより、上記実施形態１、２では、コピー機、プリンタ等におけるＮｉｎ１機能を使用する際に、ユーザによりＮｉｎ１機能にＮの値を指示することなく、印刷対象の紙面に対応した最適な画像レイアウトを作成することが可能となる。
【００９７】
更には、上記実施形態１、２では、画像処理装置または画像処理装置に指示可能な情報端末等からＮｉｎ１の機能を使用して画像を印刷する際に、ユーザがＮｉｎ１の値ではなく例えば文字や画像の最小サイズのパラメータを指定することにより、指定されたパラメータに従い、画像処理装置が自動的にＮｉｎ１の設定で印刷を行う。従来のＮｉｎ１の機能においてＮの値は２、４、６、８などページの割合を均一にする方法が一般的であるが、本発明においてはページの割合を考慮せず原稿に依存した画像レイアウトを生成し、印刷を行うことが可能となる。
【００９８】
ここで、上述した各実施形態１，２については、その新規な技術的内容の要点をまとめると、以下のようになる。
尚、上記の実施形態の一部又は全部は、新規な技術として以下のようにまとめられるが、本発明は必ずしもこれに限定されるものではない。
【００９９】
（付記１）
画像レイアウト情報および複数の画像データを記憶する記憶装置と、この記憶装置に記憶された情報に基づいて異なる複数の原稿画像を単一の印刷用紙面上に配置出力可能な印刷用画像データを生成するレイアウト画像生成部を有するデータ処理装置とを備え、
前記レイアウト画像生成部が、
前記各原稿画像内に含まれる各文字の大きさが予め設定された最小文字サイズより小さく成らないように前記各原稿画像の縮小処理を行う画像縮小処理機能と、前記印刷用画像データ上に想定される余白が最小となるように前記単一の印刷用紙面上に配置する各原稿画像の数及び当該各原稿画像の縮小率を決定すると共にこれに基づいてレイアウト処理を実行し前記印刷用画像データを生成するレイアウト決定実行処理機能とを備えていることを特徴とした画像処理システム。
【０１００】
（付記２）
付記１に記載の画像処理システムにおいて、
前記データ処理装置は、前記レイアウト画像生成部にて生成処理の対象となる画像データおよび画像レイアウト情報が予め装備された入力装置を介して外部から入力された場合にこれを前記記憶装置に個別に記憶処理する画像データ保存部及び画像レイアウト情報指定部とを備えていることを特徴とした画像処理システム。
【０１０１】
（付記３）
付記１に記載の画像処理システムにおいて、
前記データ処理装置は、前記複数の原稿画像を単一の印刷用紙面上に配置出力可能な印刷用画像データの生成指令が予め装備された入力装置を介して外部入力された場合に機能し、前記レイアウト画像生成部で動作時に必要とする画像縮小率および画像縮小に伴う最小文字サイズを含む画像レイアウトの条件の設定入力を、前記入力装置を介して外部に要請する画像レイアウト情報指定部を備えていることを特徴とした画像処理システム。
【０１０２】
（付記４）
付記３に記載の画像処理システムにおいて、
前記画像レイアウト情報指定部は、前記複数の原稿画像を単一の印刷用紙面上に配置出力可能な印刷用画像データの生成指令が予め装備された入力装置を介して外部入力された場合に稼働し、前記レイアウト画像生成部に対してその動作開始指令を送り込むと共に、当該レイアウト画像生成部で動作時に必要とする前記画像レイアウトの条件が前記入力装置を介して設定入力された場合に、これを前記記憶装置に格納処理するレイアウト情報格納処理機能を備えていることを特徴とした画像処理システム。
【０１０３】
（付記５）
付記１乃至４の何れか一つに記載の画像処理システムにおいて、
前記複数の原稿画像の画像レイアウトは、前記各画像に初期の段階で設定されたページ順に従って順次配置されることを特徴とした画像処理システム。
【０１０４】
（付記６）
画像レイアウト情報および複数の画像データを記憶する記憶装置と、この記憶装置に記憶された情報に基づいて異なる複数の原稿画像を単一の印刷用紙面上に配置出力可能な印刷用画像データを生成するレイアウト画像生成部を備えたデータ処理装置とを有する画像処理システムにあって、
前記印刷用画像データの生成に際し、前記各原稿画像内に含まれる各文字の大きさが必要以上に小さく成らないように、前記レイアウト画像生成部が、外部指令に基づいて最小文字サイズを予め設定すると共に各原稿画像の縮小処理を行い（画像縮小処理工程）、
次に、前記印刷用画像データ上に想定される余白が最小となるように前記単一の印刷用紙面上に配置する各原稿画像の数及び当該各原稿画像の縮小率を、前記レイアウト画像生成部が決定すると共にそのレイアウト処理を実行して前記単一の印刷用紙面上に配置出力可能な印刷用画像データを生成し（レイアウト決定実行処理工程）、
前記印刷用画像データの生成動作に先立って、
当該印刷用画像データの生成および出力要請が外部から成された場合、前記レイアウト画像生成部で動作時に必要とする画像縮小率および画像縮小に伴う最小文字サイズを含む画像レイアウトの条件の設定入力を、前記データ処理装置に予め装備された画像レイアウト情報指定部が予め装備された入力装置を介して外部に要請するようにしたことを特徴とする画像処理方法。（レイアウト条件設定入力要請処理工程）
【０１０５】
（付記７）
画像レイアウト情報および複数の画像データを記憶する記憶装置と、この記憶装置に記憶された情報に基づいて異なる複数の原稿画像を単一の印刷用紙面上に配置出力可能な印刷用画像データを生成するデータ処理装置とを有する画像処理システムにあって、
前記印刷用画像データの生成に際し、前記各原稿画像内に含まれる各文字の大きさが必要以上に小さく成らないように、外部指令に基づいて最小文字サイズを予め設定すると共に各原稿画像の縮小処理を行う画像縮小処理機能、
および前記印刷用画像データ上に想定される余白が最小となるように前記単一の印刷用紙面上に配置する各原稿画像の数及び当該各原稿画像の縮小率を決定すると共にこれに基づいてレイアウト処理を実行し前記単一の印刷用紙面上に配置出力可能な印刷用画像データを生成するレイアウト決定実行処理機能を設け、
前記印刷用画像データの生成動作に先立って、当該印刷用画像データの生成および出力要請が外部から成された場合に、前記レイアウト画像生成部で動作時に必要とする画像縮小率および画像縮小に伴う最小文字サイズを含む画像レイアウトの条件の設定入力を、予め装備された入力装置を介して外部に要請するレイアウト条件設定入力要請処理機能を設け、
これらの各処理機能を前記データ処理装置が備えているコンピュータに実現させるようにしたことを特徴とする画像処理プログラム。
【産業上の利用可能性】
【０１０６】
本発明は、Ｎｉｎ１機能などの画像編集および印刷が可能なコピーやプリンタ機能を有するネットワーク複合機等の画像処理装置といった用途に適用できる。また、ネットワークやＵＳＢケーブルなどにより接続された情報処理端末にＮｉｎ１機能などの画像編集を行わせることにより、ネットワークプリンタなどの画像処理装置を含む画像処理システムとに対して有効に適用することができる。
【符号の説明】
【０１０７】
１  入力装置
２、５、２０２  データ処理装置
３、６、２０３  記憶装置
４、２０４  出力装置
１０  情報処理端末
２１  画像データ保存部
２２、５１  画像レイアウト情報指定部
２３、５２  レイアウト画像生成部
２３Ａ、５２Ａ  画像縮小処理機能
２３Ｂ、５２Ｂ  レイアウト決定処理機能
２４、５３  画像データ出力部
３１  画像レイアウト情報記憶部
３２、２３１  画像データ記憶部
１００、２０１  画像処理装置
【図１】
2013153290.tif 000003
【図２】
2013153290.tif 000004
【図３】
2013153290.tif 000005
【図４】
2013153290.tif 000006
【図５】
2013153290.tif 000007
【図６】
2013153290.tif 000008
【図７】
2013153290.tif 000009